(57)【要約】      （修正有）【課題】出光角度を拡大した発光ダイオード電球改良構造を提供する。【解決手段】発光ダイオード電球改良構造は、相互に係合しているグローブ１とソケット２を有することによって光源収容空間３を形成し、ソケットの上方に、回路基板４が設けられていて、更に光源収容空間の内部に、回路基板と電気的に接続する少なくとも３つの第１の発光ダイオード６が設けられている。各第１の発光ダイオードは、光源部６０と複数個のリードピン６１とを有し、複数のリードピンの一端は光源部に接続され、他端は回路基板に電気的に接続されており、そして各光源部は、レンズ６０２とチップ６０１とを有し、レンズはチップを覆い、且つチップは水平方向に向けて光束を発射し、又は複数の第１の発光ダイオードが連続的に隣接して設置されているため、複数の光源部を包囲状に呈して排列させることになる。【選択図】図２
0003175918.tif 000002
【実用新案登録請求の範囲】
【請求項１】
グローブとソケットとを備え、前記グローブと前記ソケットとが相互に係合して設置されることによって光源収容空間を形成させ、且つ前記ソケットの上方に、回路基板が設けられていて、更に前記光源収容空間の内部に、前記回路基板と電気的に接続する少なくとも３つの第１の発光ダイオードが設置されている発光ダイオード電球改良構造において、
各前記第１の発光ダイオードは、光源部と複数個のリードピンとを有し、前記複数のリードピンの一端は前記光源部に接続され、他端は前記回路基板に電気的に接続されており、そして各前記光源部は、レンズとチップとを有し、前記レンズは前記チップを覆い、且つ前記チップは水平方向に向けて光束を発射し、且つ前記複数の第１の発光ダイオードが連続的に隣接して設置されているため、前記複数の光源部を包囲状に呈して排列させることになることにより、配置空間を形成することを特徴とする、発光ダイオード電球改良構造。
【請求項２】
各前記第１の発光ダイオードは、サイドビュー・タイプの発光ダイオードであり、且つ前記チップは前記複数のリードピンのうちの１つの上方に設置され、更に半円形柱体又は薄片状の立方体構造を呈する前記レンズ内に覆われることになることにより、各前記光源部の照射方位を前記第１の発光ダイオードの側端の方位に向けさせることを特徴とする、請求項１に記載の発光ダイオード電球改良構造。
【請求項３】
前記複数の光源部は、それぞれ前記発光ダイオード電球改良構造の軸導線と平行に設置されることを特徴とする、請求項２に記載の発光ダイオード電球改良構造。
【請求項４】
前記複数の光源部は、包囲状に呈して排列されることにより、略三辺形柱体構造になるように設置されることを特徴とする、請求項３に記載の発光ダイオード電球改良構造。
【請求項５】
前記複数の光源部は、包囲状に呈して排列されることにより、略四辺形柱体構造になるように設置されることを特徴とする、請求項３に記載の発光ダイオード電球改良構造。
【請求項６】
前記複数の光源部は、それぞれ前記発光ダイオード電球改良構造の軸導線と鋭角θをなすように設置され、且つ前記鋭角θの角度が増大するにつれて次第に前記複数の光源部の照射方位を前記グローブの頂端側の方位に向けるようになることを特徴とする、請求項２に記載の発光ダイオード電球改良構造。
【請求項７】
前記複数の光源部は、それぞれ前記発光ダイオード電球改良構造の軸導線と鋭角θをなすように設置され、且つ一部の前記複数の光源部は、前記鋭角θの角度が増大するにつれて次第に前記一部の前記複数の光源部の照射方位を前記グローブの頂端側の方位に向けるようになり、他の一部の前記複数の光源部は、前記鋭角θの角度が増大するにつれて次第に前記他の一部の前記複数の光源部の照射方位を前記ソケットの方位に向けるようになることを特徴とする、請求項２に記載の発光ダイオード電球改良構造。
【請求項８】
前記配置空間の内部に設置されている少なくとも１つの第２の発光ダイオードを更に備え、且つ前記第２の発光ダイオードは前記回路基板に電気的に接続されていることを特徴とする、請求項１乃至請求項７のいずれかの１項に記載の発光ダイオード電球改良構造。
【請求項９】
前記第２の発光ダイオードは、トップビュー・タイプの発光ダイオードであり、そして前記グローブの頂端側に向ける方位を照射方位とすることを特徴とする、請求項８に記載の発光ダイオード電球改良構造。
【請求項１０】
前記第１の発光ダイオードは、３つのリードピンを有し、且つ前記リードピンのうちの１つは前記リードピンのうちの他の２つと電気的に接続されており、そして当該リードピンの上方に前記チップを載置することにより、前記チップが放出する熱量を分散することを特徴とする、請求項１に記載の発光ダイオード電球改良構造。
【考案の詳細な説明】
【技術分野】
【０００１】
本考案は、非携帯式の照明装置という特徴的な技術分野に属し、特に、複数個のサイドビュー・タイプの発光ダイオードが連続的に隣接して設置されているため、包囲状に呈して排列されることになることにより、その照明範囲を広げることができる発光ダイオード電球改良構造に関する。
【背景技術】
【０００２】
最近、発光ダイオード（Ｌｉｇｈｔ  Ｅｍｉｔｔｉｎｇ  Ｄｉｏｄｅ,ＬＥＤ）は、体積が小さく、消費電力が低く、使用寿命が長く、また発光効率が高いといった利点を有しているので、例えば発光ダイオード電球或いは広告看板などのような日常の照明において大量に運用されている。しかし、発光ダイオードの出光角度が僅か約１２０度乃至１４０度となっているため、発光ダイオードの照明範囲が制限させられる。そのため、市場要求を満たすために、現在、大部の発光ダイオード電球では、複数個の発光ダイオードを排列して組合わせることにより、照明範囲を広げる効果を達成する。例を挙げれば、台湾実用新案登録第Ｍ３６４１６６号明細書と米国意匠第５９８５８１号に示されているように、複数個の発光ダイオードを環状に排列してケーキ状に形成された構造で設計された発光ダイオード電球が開示されており、環状設置及び高低設置した上記の発光ダイオードにより、照明範囲及び輝度を向上させることが可能とする。
【０００３】
図１の台湾実用新案登録第Ｍ３６４１６６号明細書に係るケーキ型ＬＥＤ電球の模式図を参照する。図１に示すように、ケーキ型ＬＥＤである前記電球１は、トップビュー（Ｔｏｐ  Ｖｉｅｗ）・タイプの複数個の発光ダイオード１０を有し、且つこれらの発光ダイオード１０を、回路基板の周囲に排列して第１の環状層１０１になる。その後、前記回路基板の中間に架設した基板１１の上方に、上述した発光ダイオード１０を継続的に排列して第２の環状層１０２になる。続いて、前記第２の環状層１０２の中心位置に、ハイピン・タイプの上述した発光ダイオード１０を装設することにより、上向きに延伸されている第３の環状層１０３に形成される。
これにより、上記した環状層１０１、１０２、１０３を介してケーキ型ＬＥＤである前記電球１でも、多段階の光源変化を生じることによって照明強度及び照明範囲を増加させることが可能となる。しかしながら、関連のある先行技術では、トップビュー・タイプの発光ダイオード１０を採用して積層排列を行って、更に前記電球１の前端側に向ける方位を照射方位とし、前記電球１の出光角度を制限してしまう。また、上記の発光ダイオード１０は、前記回路基板に直接に貼付されて熱量を集中させてしまい、その結果、構成部品の稼働異常或いは焼損の状態を引き起こすことになる。
【先行技術文献】
【特許文献】
【０００４】
【特許文献１】台湾実用新案登録第Ｍ３６４１６６号明細書
【特許文献２】米国意匠第５９８５８１号
【考案の概要】
【考案が解決しようとする課題】
【０００５】
本考案は、従来技術の問題に鑑みなされたものであり、複数個のサイドビュー・タイプ（Ｓｉｄｅ  Ｖｉｅｗ）の発光ダイオードが連続的に隣接して設置されていて、包囲状に呈して排列される発光ダイオード電球改良構造を提供することにより、前記発光ダイオード電球改良構造の出光角度を拡大する目的を達成する。
【課題を解決するための手段】
【０００６】
上述した目的を達成するために、本考案の発光ダイオード電球改良構造は、グローブとソケットとを備え、前記グローブと前記ソケットとが相互に係合して設置されることによって光源収容空間が形成され、且つ前記ソケットの上方に、回路基板が設けられていて、更に前記光源収容空間の内部に、前記回路基板と電気的に接続する少なくとも３つの第１の発光ダイオードが設置されている上述した発光ダイオード電球改良構造において、各前記第１の発光ダイオードは、光源部と複数個のリードピンとを有し、前記複数のリードピンの一端は前記光源部に接続され、他端は前記回路基板に電気的に接続されており、そして各前記光源部は、レンズとチップとを有し、前記レンズは前記チップを覆い、且つ前記チップは水平方向に向けて光束を発射し、且つ前記複数の第１の発光ダイオードが連続的に隣接して設置されているため、前記複数の光源部を包囲状に呈して排列させることになることにより、配置空間を形成することを特徴としている。
【０００７】
なお、各前記第１の発光ダイオードは、サイドビュー・タイプの発光ダイオードであり、且つ前記チップは前記複数のリードピンのうちの１つの上方に設置され、更に半円形柱体又は薄片状の立方体構造を呈する前記レンズ内に覆われることになることにより、各前記光源部の照射方位を前記第１の発光ダイオードの側端の方位に向けさせる。又、前記第１の発光ダイオードは、３つのリードピンを有し、且つ前記リードピンのうちの１つは前記リードピンのうちの他の２つと電気的に接続されており、そして当該リードピンの上方に前記チップを載置することにより、前記チップが放出する熱量を分散する。
【０００８】
そして、全周にわたって発光する目的を達するために、前記複数の光源部は、それぞれ前記発光ダイオード電球改良構造の軸導線と平行に設置され、且つ前記複数の光源部は、包囲状に呈して排列されることにより、略三辺形柱体構造或いは四辺形柱体構造になるように設置される。
【０００９】
更に、照射角度を更なる増加して略７２０度の照明範囲を形成するようになるという別の目的を達するために、前記複数の光源部は、それぞれ前記発光ダイオード電球改良構造の軸導線と鋭角θをなすように設置され、且つ前記鋭角θの角度が増大するにつれて次第に前記複数の光源部の照射方位を前記グローブの頂端側の方位に向けるようになる。更に加えて、前記複数の光源部は、それぞれ前記発光ダイオード電球改良構造の軸導線と鋭角θをなすように設置され、且つ一部の前記複数の光源部は、前記鋭角θの角度が増大するにつれて次第に前記一部の前記複数の光源部の照射方位を前記グローブの頂端側の方位に向けるようになり、また、他の一部の前記複数の光源部は、前記鋭角θの角度が増大するにつれて次第に前記他の一部の前記複数の光源部の照射方位を前記ソケットの方位に向けるようになる。
【００１０】
加えて、前記グローブの頂端側での光強度を高めるという更に別の目的を達するために、前記発光ダイオード電球改良構造は、前記配置空間の内部に設置されている少なくとも１つの第２の発光ダイオードを更に備え、且つ前記第２の発光ダイオードは前記回路基板に電気的に接続されている。なお、前記第２の発光ダイオードは、トップビュー・タイプの発光ダイオードであり、そして前記グローブの頂端側の方位に向ける方位を照射方位とする。
【図面の簡単な説明】
【００１１】
【図１】台湾実用新案登録第Ｍ３６４１６６号明細書に係るケーキ型ＬＥＤ電球を示す模式図である。
【図２】本考案の好適な実施例の第１の実施形態を模式的に示す図である。
【図３】本考案の好適な実施例の第２の実施形態を模式的に示す図である。
【図４】本考案の好適な実施例の第３の実施形態を模式的に示す図である。
【図５】本考案の好適な実施例の第４の実施形態を模式的に示す図である。
【図６】本考案の好適な実施例の第５の実施形態を模式的に示す図である。
【図７】本考案の好適な実施例の第６の実施形態を模式的に示す図である。
【考案を実施するための形態】
【００１２】
本考案の内容についは、添付図面を参照して、以下の説明によって完全な理解が得られるであろう。
【実施例】
【００１３】
図２及び図３にそれぞれ示されている本考案の好適な実施例の第１の実施形態及び第２の実施形態の模式図を参照する。これらの図に示すように、前記発光ダイオード電球改良構造は、グローブ１とソケット２とを備え、前記グローブ１と前記ソケット２とが相互に係合して設置されることによって光源収容空間３が形成される。且つ前記ソケット２の上方に、回路基板４が設けられていて、更に前記光源収容空間３の内部に、前記回路基板４と電気的に接続する少なくとも３つの第１の発光ダイオード６が設置されている。
各前記第１の発光ダイオード６は、光源部６０と複数個のリードピン６１とを有し、これらのリードピン６１の一端は前記光源部６０に接続され、他端は前記回路基板４に電気的に接続されている。各前記光源部６０は、チップ６０１とレンズ６０２とを有し、前記レンズ６０２は、半円形柱体又は薄片状の立方体構造を呈してもよく、前記チップ６０１を覆い、前記チップ６０１は前記複数のリードピン６１のうちの１つの上方に設置され、そして水平方向に向けて光束を発射し、各前記光源部６０の照射方位を前記第１の発光ダイオード６の側端の方位に向けさせる。
ここで分かるように、前記複数の第１の発光ダイオード６は、サイドビュー・タイプの発光ダイオードである。そして、前記複数の第１の発光ダイオード６が連続的に隣接して設置されているため、前記複数の光源部６０が包囲状に呈して排列されることにより、配置空間６２が形成される。
【００１４】
本実施形態においては、３つの第１の発光ダイオード６を利用して構成されることができる。前記複数の第１の発光ダイオード６は各前記リードピン６１により前記回路基板４に電気的に接続されており、且つ半円形柱体、または薄片状の立方体構造を呈している各前記光源部６０は、前記発光ダイオード電球改良構造の軸導線５と平行にして連続的に隣接して排列されていると同時に、前記複数の光源部６０同士の間に、例えば６０度のような１つの角度を有させて設置することによって略三辺形柱体構造に形成されるようになり、これにより、前記複数の光源部６０の照射方位は、それぞれ前記グローブ１の側端の異なる３つの方位に向けるようになる。言い換えれば、異なる３つの方位の間では１２０度ずつ角度をずらして配置している。そのため、各前記光源部６０の出光角度を約１２０度とすると、上述した三辺形柱体構造は全周３６０度の発光範囲を有することができる。
【００１５】
更に、前記複数の光源部６０は前記複数のリードピン６１を介して前記回路基板４に電気的に接続することができるため、各前記光源部６０と前記回路基板４との間には、一定の間隔を有することができることにより、各前記光源部６０が稼働中に発散される熱エネルギーが、前記回路基板４の上方に集中することなく、その代わり、上述した間隔及び前記配置空間６２を介して、熱を加速的に発散して放熱効率を向上させることができる。
【００１６】
ついでながら、前記チップ６０１は、白色光、黄色光、青色光、緑色光或いは赤色光などを出射するチップであってもよい。この際、上記したチップを採用すれば、前記発光ダイオード電球改良構造は、豊富な灯光の色彩も変化することができる。且つ前記発光ダイオード電球改良構造が２つのリードピン６１を有する場合には、前記チップ６０１は、そのうちの１つのリードピン６１の上方にマイナス電極と電気的に接続されていると同時に、１つの金属導線を介して他のリードピン６１と接続してプラス電極と電気的に接続されている。
【００１７】
上述したように、図４及び図５にそれぞれ示されている本考案の好適な実施例の第３の実施形態及び第４の実施形態の模式図を併せて参照する。これらの図に示すように、前記発光ダイオード電球改良構造は、４つの第１の発光ダイオード６を利用して構成されることができ、且つ半円形柱体又は薄片状の立方体構造を呈している各前記光源部６０は、前記発光ダイオード電球改良構造の軸導線５と平行にして連続的に隣接して排列されていると同時に、各複数の光源部６０の間に、例えば９０度のような１つの角度を有させて設置することによって略四辺形柱体構造に形成されるようになる。これにより、前記四辺形柱体構造の４つの異なる照射方位によって全周発光の効果が達することができると同時に、三辺形柱体構造に比べ、より明るい照明強度を得ることが可能となる。
【００１８】
更に、前記発光ダイオード電球改良構造の出光角度及び照明範囲をさらなる増加するために、前記四辺形柱体構造の内部、即ち、前記配置空間６２の内部に、少なくとも１つの第２の発光ダイオード７を設置することができ、且つ前記第２の発光ダイオード７はトップビュー・タイプの発光ダイオードである。若しくは、直接に前記複数のリードピン６１を曲げることによって前記光源部６０の発光源を前記グローブ１の頂端側に向けるようにさせる方式でサイドビュー・タイプの前記第１の発光ダイオード６を前記配置空間６２の内部に設置することが可能となる。
【００１９】
ここで、特に注意すべき点は、前記複数の第１の発光ダイオード６は３つのリードピン６１を有することができ、且つ前記複数のリードピン６１のうちの１つは前記チップ６０１を載置していて、そして前記金属導線を介して前記リードピン６１のうちの他の２つのリードピン６１と接続してプラス・マイナス電極と電気的に接続されるようになる。これにより、前記チップ６０１は互いに接続している前記リードピン６１を介して熱量を放出して放熱効率を加速する。
【００２０】
次に、図６及び図７にそれぞれ示されている本考案の好適な実施例の第５の実施形態及び第６の実施形態の模式図を参照する。これらの図に示すように、前記グローブ１の前端側での光強度を伸縮自在に調整するために、前記発光ダイオード電球改良構造は、３つの第１の発光ダイオード６の各前記リードピン６１を曲げることを利用することにより、半円形柱体又は薄片状の立方体構造を呈している各前記光源部６０を前記発光ダイオード電球改良構造の軸導線５と鋭角θをなすようにさせ、そして前記鋭角θの角度が増大するにつれて次第に前記複数の光源部６０の照射方位を前記グローブ１の頂端側の方位に向けるようになる。
【００２１】
また更に、照射角度を拡大して略７２０度の照明範囲の効果を達するために、前記発光ダイオード電球改良構造は、３つの照射方位が前記ソケット２の方位に向ける第１の発光ダイオード６を更に増設することが可能で、上述した実施形態と同様に、前記複数の第１の発光ダイオード６の各前記リードピン６１を曲げることにより、各前記光源部６０を前記発光ダイオード電球改良構造の軸導線５と鋭角θをなすようにさせ、そして前記鋭角θの角度が増大するにつれて次第に前記複数の光源部６０の照射方位を前記ソケット２の方位に向けるようになる。
【００２２】
そして、前記配置空間６２の内部には、それでもなお、前記複数の第２の発光ダイオード７を設置することが可能で、光強度を増加することができる。
【産業上の利用可能性】
【００２３】
以上述べたように、この考案によれば、前記発光ダイオード電球改良構造は、前記複数の第１の発光ダイオード６の包囲状に排列して設置していることや、それらの前記複数のリードピン６１を曲げることによって、照明範囲及び照明強度を拡大することができる。そして、前記発光ダイオード電球改良構造は、前記回路基板４の上方に直接に前記複数の第１の発光ダイオード６を排列することから、組立て手順を簡単化すること及び構成部品を簡略化することができるため、生産効率を高めることができると共に、コストを低減することが可能となるので、産業上の利用可能性を有する。
【符号の説明】
【００２４】
１：電球
１０：発光ダイオード
１０１：第１の環状層
１０２：第２の環状層
１０３：第３の環状層
１１：基板
１：グローブ
２：ソケット
３：光源収容空間
４：回路基板
５：軸導線
６：第１の発光ダイオード
６０：光源部
６０１：チップ
６０２：レンズ
６１：リードピン
６２：配置空間
７：第２の発光ダイオード
【図１】
0003175918.tif 000003
【図２】
0003175918.tif 000004
【図３】
0003175918.tif 000005
【図４】
0003175918.tif 000006
【図５】
0003175918.tif 000007
【図６】
0003175918.tif 000008
【図７】
0003175918.tif 000009